(57)【要約】【課題】  本発明の目的は、交換可能な電源を交換している間にも中断することなく映像などの情報を記録することが可能な情報記録装置を提供することにある。【解決手段】  本発明によれば、交換可能な電源のほかに電源を本情報記録装置に設けることにより、交換可能な電源交換中にも映像などの情報を記録する手段を備えていることを特徴とする情報記録装置が提供でき、情報の記録を中断することなく情報記録を続けることが可能になり、ユーザにとって利便性のある情報記録ができる。【選択図】図２
2007329519.tif 000002
【特許請求の範囲】
【請求項１】
画像または音声の情報を、記録媒体に記録する記録手段を備えた情報記録装置であって、
少なくとも１つが交換可能な複数の電源を設け、
前記複数の電源のうち前記交換可能な電源以外の他の電源は内蔵または外付けであり、
前記交換可能な電源を交換中にも、前記複数の電源のうちの他の電源を用いて前記情報を記録することを特徴とした情報記録装置。
【請求項２】
請求項１に記載の情報記録装置であって、前記交換可能な電源と、前記交換可能な電源以外の前記複数の電源のうちの他の電源との間で電力の供給をすることを特徴とする情報記録装置。
【請求項３】
請求項１に記載の情報記録装置であって、前記複数の電源のうちの前記交換可能な電源以外の内蔵または外付けの他の電源は、取り外し可能なものであることを特徴とする情報記録装置。
【請求項４】
請求項１に記載の情報記録装置であって、前記交換可能な電源が蓄電池であることを特徴とする情報記録装置。
【請求項５】
請求項３に記載の情報記録装置であって、前記他の電源の容量が前記情報記録装置の消費電力の１０秒ないし２０秒分であることを特徴とする情報記録装置。
【請求項６】
請求項１に記載の情報記録装置であって、前記記録媒体がディスク状記録媒体であることを特徴とする情報記録装置。
【請求項７】
請求項１に記載の情報記録装置であって、前記記録媒体がメモリであることを特徴とする情報記録装置。
【請求項８】
画像または音声の情報を、記録媒体に記録する記録手段を備えた情報処理装置であって、
少なくとも１つが交換可能な複数の電源を設け、
前記複数の電源のうち前記交換可能な電源以外の他の電源は内蔵または外付けであり、
前記交換可能な電源を交換中にも、前記複数の電源のうちの他の電源を用いて前記情報を記録することを特徴とした情報処理装置。
【発明の詳細な説明】
【技術分野】
【０００１】
本発明は、光ディスクなどのディスク状の光、磁気の記録媒体や半導体メモリ、磁気テープなどを用いる情報記録装置およびその制御方法に係り、特に、長時間の映像情報を記録するビデオカメラなどに搭載するのに好適な、情報記録装置および情報処理装置に関する。
【背景技術】
【０００２】
光ディスクや磁気ディスク、磁気テープは大量の情報を記録でき、かつ媒体互換が可能な特徴を備えている。そのため、動画のような大量の情報を記録する必要があるビデオカメラではこれらを記録媒体として用いることが一般的である。また、最近では書き換え可能なメモリーの記録容量も向上してきており、このメモリーを記録媒体として用いるビデオカメラもある。
【０００３】
ビデオカメラは屋内だけでなく屋外での使用も想定されているため、ビデオカメラの電源として、交流電源のほかに、充電可能な蓄電池（バッテリーとも言う。）を用いることが一般に可能である。直径８ｃｍのＤＶＤ−ＲＡＭディスク（片面記録容量約1.5ＧＢ）を用いる日立製作所製ＤＶＤビデオカメラでは、参考文献１によれば、満充電された蓄電池で連続撮影できる時間は約１００分ないし１４５分である。
【０００４】
特許文献１によれば、バッテリーの使用状況を使用者に通知するため、ビデオカメラの液晶モニターにバッテリーの残容量が表示される。
【０００５】
【非特許文献１】日立製作所ＤＶＤビデオカメラＤＺ−ＭＶ３５０形取扱説明書
【特許文献１】特開２００１−２４５４３５号公報
【発明の開示】
【発明が解決しようとする課題】
【０００６】
前記従来技術では、屋外などで蓄電池を用いてビデオカメラで撮影を行なっていた場合に、蓄電池の残容量が少なくなった、あるいは無くなったときには、撮影を中断して蓄電池を残容量の十分ある別の蓄電池に交換する必要がある。
【０００７】
大容量記録に適した光ディスクや磁気ディスク、磁気テープには、複数の番組や撮影シーンといった映像情報を大量に記録できる。また、最近市場に出てきた、青色半導体レーザを記録光源に用いるＢｌｕ−ｒａｙディスクにおいて、直径８ｃｍの１層ディスクの場合、記録容量は約7.7ＧＢである。このようなディスク媒体の記録容量の飛躍的向上は、そのディスク媒体に記録するプログラムや撮影シーンといった映像の記録時間の増大につながる。非特許文献１によれば、片面記録容量約1.5ＧＢのＤＶＤ−ＲＡＭディスクに約６０分動画を記録できる。したがって、ビデオカメラに用いる蓄電池は、長時間撮影に耐えうるように大容量のものが複数必要となる。一般に、大容量なものほど蓄電池の重量は大きくなる。また、非特許文献１に書かれているような連続撮影可能時間は、撮影レンズの焦点距離を固定し、かつ液晶モニターを使わずファインダーを使った撮影の場合であったりするので、液晶モニターを用いて撮影したり、ズームを多用したりすると、１つの蓄電池で撮影可能な時間は実際には上記のものより短くなる。その結果、蓄電池を用いてビデオカメラで撮影している最中に、蓄電池の残容量がほとんどなくなって、蓄電池を交換するために撮影を中断しなければならないという問題があった。これは、ビデオカメラに電力を供給する手段が１つしかないためである。
本発明の目的は、前記不具合点を解消し、蓄電池以外の電力供給手段を備えることにより、蓄電池の残容量がわずかになっても撮影中断を回避することが可能な情報記録装置を提供することにある。
【課題を解決するための手段】
【０００８】
前記課題を解決するために、本発明の情報記録装置は、少なくとも１つが交換可能な複数の電源を設け、前記複数の電源のうち前記交換可能な電源以外の他の電源は内蔵または外付けであり、前記交換可能な電源を交換中にも、前記複数の電源のうちの他の電源を用いて前記情報を記録する情報記録装置とする。さらに前記交換可能な電源と、前記交換可能な電源以外の前記複数の電源のうちの他の電源との間で電力の供給をするものでも良い。前記複数の電源のうちの前記交換可能な電源以外の内蔵または外付けの他の電源は、取り外し可能なものであっても良い。さらに、前記交換可能な電源が蓄電池であっても良い。
また、本願発明は、情報記録ができる情報処理装置であっても良い。
【発明の効果】
【０００９】
本発明によれば、中断することなく情報記録を続けることが可能になり、ユーザにとって利便性のある情報記録ができる。
【発明を実施するための最良の形態】
【００１０】
以下、本発明の実施例を図１、図２、図３、図４を用いて説明する。
【００１１】
図１は、一般的な情報記録装置を用いた装置例の概略構成を示すブロック図である。
図１において、１は撮影手段で、撮影光学系２やＣＣＤ（撮像素子）３やＡ／Ｄ変換器４などからなり、被写体像を撮影光学系２によってＣＣＤ３上に結像させ、ＣＣＤ３により画像信号を得て、これをＡ／Ｄ変換器４によってデジタル化して出力する。５は、撮影手段１からの画像信号を画像データに変換処理する画像信号処理手段で、この画像信号処理手段５は、音声情報信号入力手段であるマイクロフォン１４からの音声情報信号をも処理するようになっている。
【００１２】
また、再生時には、画像信号処理手段５は、後記記録再生信号処理手段６からの画像データを、表示出力用の画像情報信号に変換処理するようになっており、さらに、この画像信号処理手段５は、後記記録再生信号処理手段６からの音声データを音声出力用の音声情報信号に変換処理するようになっている。ビデオカメラの場合、画像データ、音声データは連続的に画像信号処理手段５で処理を行われており、画質、音質は、画質信号処理手段５の処理能力で決められ、その処理能力により画像信号処理手段５から記録再生信号処理手段６に送られるデータの転送速度が決まる。
【００１３】
記録再生信号処理手段６で、画像信号処理手段５からの画像データ（音声データを含む）を、ディスク状記録媒体９へ記録するための記録フォーマットにしたがった記録データに変換するため、あるいは、ディスク状記録媒体９から再生された記録データを画像データ（音声データを含む）に変換処理するため、エンコード／デコード処理、変調／復調処理、ＥＣＣ付加／誤り訂正処理などの処理を行う。
【００１４】
ディスクへの記録、或いは再生の転送速度は、上記記録再生信号処理手段６の処理能力、記録再生手段８の処理能力、ディスクの回転速度等により決まる。７は上記画像信号処理手段５からの画像データ（音声データを含む）を一時記憶するメモリである。上記メモリは、画像信号処理手段５から転送される画像データ或いは音声データの転送速度が、ディスク状記録媒体９に記録を行う速度より速い場合に蓄積されている。従って、ディスク状記録媒体９への記録は、前記メモリへの蓄積量がメモリ容量以上にならないうちに記録する必要がある。
【００１５】
８は記録再生手段、９は図示せぬスピンドルモータによって回転駆動されるディスク状記録媒体（光ディスク）、１０はレーザ光源（レーザダイオード）や光学系、光検出器等よりなる光学ヘッドであり、記録再生手段８は、光学ヘッド１０によって、上記メモリ７に記憶された上記記録データを上記光ディスク９へ記録し、また、光学ヘッド１０によって、光ディスク９から再生された上記記録データを上記メモリ７に一時記憶させる。
【００１６】
１１は光記録に必要なサーボ制御手段で、例えば、光学ヘッド１０のアクチェータ（図示せず）を制御するフォーカス制御やトラッキング制御、スピンドルモータ（図示せず）を制御するディスクの回転制御、アドレス位置を制御するシーク制御等を行う。
【００１７】
１５はＬＣＤ（液晶ディスプレイ）等よりなる画像表示手段である。再生時には、光学ヘッド１０で読み取られた光ディスク９上のデータ（レーザ光で照射された光ディスクからの反射光を、反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、この画像表示手段１５に表示される。
【００１８】
また、本装置がビデオカメラの場合、撮影時には撮影手段１がとらえた事物が画像表示手段１５に映しだされる。機能切り換えスイッチ（図示せず）などによって、画像表示手段１５に表示する内容を変えることができ、既に光ディスク９に記録されている映像などの情報にどんな内容のものがあるかを示すサムネールを複数同時に提示できるサムネール複数表示画面を画像表示手段１５に表示することができる。
【００１９】
このときに表示されるサムネールは６個とか１２個といった複数個のサムネールをマトリクス状に表示するが、サムネール複数表示画面に一度に表示するサムネールの数は、画像表示手段１５の大きさや、画像表示手段１５に用いるＬＣＤの画質などからユーザが見やすい数に設定される。
【００２０】
１７は、外部電源としてのＤＣ電源であり、例えば屋内使用時には交流コンセントから AC/DC アダプタ付きの電源コードで電力を取り込むのが一般的である。１８は充電可能な蓄電池（バッテリーとも言う）である。蓄電池１８を使用する際には情報記録装置に取り付けた形で用いるが、情報記録装置から取り外しが可能なことが一般的である。
【００２１】
１６は、ＤＣ電源１７あるいは蓄電池１８の情報記録装置への接続を検出し、また蓄電池１８の残量を検出するなどの処理を行う電源及び充電制御手段である。蓄電池１８への充電は、蓄電池１８を情報記録装置から取り外して、別の充電アダプタなどで充電する方法もあるが、蓄電池１８を情報記録装置に取り付けたままで充電を行う方法もある。その場合には、電源及び充電制御手段１６はどのような場合に蓄電池１８に充電を行うかを判断し、充電を行う判定のときにはＤＣ電源１７から電源及び充電制御手段１６を介して電力を蓄電池１８に供給して充電を行う。
【００２２】
１２は、装置全体の統括制御を司る制御マイコンやアプリケーションなどよりなるシステム制御手段で、このシステム制御手段１２によって、上述した装置の各部の制御や、全体の統括管理を行う。
【００２３】
情報記録装置を用いたビデオカメラにおいて、映像などの情報をユーザが記録しようとするときには、屋外撮影などでは電源として蓄電池を情報記録装置に取り付けることによって行う。これは屋外では一般に、屋内コンセントのような常時一定の電力を供給する手段がないことが多いからである。
【００２４】
しかしながら、取り付ける蓄電池の容量にも上限があり、長時間の屋外撮影などでは、複数の蓄電池を用意し、蓄電池の残容量が無くなるたびに蓄電池の交換を行っている。その結果、蓄電池を交換するために撮影を中断する必要があり、連続撮影ができないという問題があった。
【００２５】
上記の問題を解決するのが本発明の情報記録装置である。図２は、本発明の情報記録装置を用いた一実施例の概略構成を示すブロック図である。図１と同じ番号を付したものは同一の機能を果たすものとする。図２の蓄電池１８は交換可能な電源であり本実施例では蓄電池である。
【００２６】
図２では情報を記録する媒体がディスク状記録媒体９であるが、ディスク状記録媒体９の代わりに磁気テープや情報書き換え型メモリなどでもよく、さらには光学的または磁気的または電気的その他いずれの記録または再生の方法の記録媒体でもよく、またそれに限る必要も無い。情報を記録する媒体が磁気テープや情報書き換え型メモリなどの場合には、それに応じて、記録再生手段８、光学ヘッド１０、サーボ制御手段１１も変わってくるが、それらは従来からあるビデオレコーダやメモリ動画カメラで用いられているようなものであればよい。
【００２７】
記録再生信号処理手段６も、記録媒体が変われば、それに応じた処理を行う必要がある。図２で「任意の外部表示装置へ」と示した部分は、例えば、本情報記録装置がビデオカメラに用いられているのであれば、図１に示した画像表示手段１５であってもよいし、あるいは前記ビデオカメラとケーブルで接続したテレビであってもよい。
【００２８】
３０は、複数の電源が本情報記録装置に接続されているときの、複数の電源や、本情報記録装置のその他の手段との間の電力のやり取りを制御する複数電源制御手段である。図２では、複数電源制御手段３０はシステム制御手段１２とは別に示されているが、これに限る必要はなく、システム制御手段１２構成要素の一つとして含まれてもよい。
【００２９】
また、複数電源制御手段３０が電源及び充電制御手段１６に構成要素の一つとして含まれても構わない。つまり、アプリケーションを含んだシステム制御手段１２が、電力を供給する電池や電源の相互間やりとりを含めた、電力供給系と本情報記録装置のその他の手段との間での電力のやりとりの制御を行えればよい。
【００３０】
本実施例では、交換可能な蓄電池１８の他に、内蔵または外付けの電源としてここでは一例として電池３１を設ける。電池３１は取り外し可能であっても取り外せないものでも良いし、電池３１が情報記録装置に接続された複数の電源のうちの他の電源の一つで、本実施例では内蔵された充電可能な電池である場合を説明する。電池３１の容量は大きなものである必要はない。ビデオカメラの通常撮影時に消費される電力は、平均３〜４[W]であるので、例えばその１０秒分にあたる0.01[Wh]くらいの容量の電池を用意すればよい。満充電した後、約１００分ないし１４５分間連続撮影できる蓄電池１８の容量は約10[Wh]であるので、電池３１は蓄電池１８に比べて十分に軽量小型化でき、本情報記録装置に内蔵できる。
【００３１】
次に、本実施例による、映像などの情報を撮影もしくは記録中に蓄電池１８の残容量がほとんどなくなり、蓄電池１８を十分に充電された別の蓄電池１８に交換するときの処理の大まかな流れの一例を図３及び図４に示す。
【００３２】
まず、本情報記録装置を用いたビデオカメラの使用者が、本情報記録装置に格納されているディスク上に映像などの情報を撮影し記録する場合、屋外での撮影のときにはたいがい十分に充電された蓄電池１８を用意するので、その状態を想定して説明する。使用者が蓄電池１８を、本情報記録装置を用いたビデオカメラに取り付けると、電源及び充電制御手段１６は蓄電池１８の本体への接続を検出する（ステップ３１）。
【００３３】
このときすでに電源及び充電制御手段１６はビデオカメラ本体がＤＣ電源１７と接続されていないことを検出している（ステップ３０）。ステップ３１で蓄電池１８が付いていると判定された場合はその蓄電池１８の残容量がほぼ０に近いかどうかを検出する（ステップ３２）。ステップ３２で蓄電池１８の残容量が充分ある場合には蓄電池１８から電力を供給する。（ステップ３３）
電源及び充電制御手段１６あるいは複数電源制御手段３０は電池３１の残容量を調べて、その残容量があるしきい値Ａ、例えば満容量、に満たなければ（ステップ３４）、複数電源制御手段３０が蓄電池１８より電池３１へ電源及び充電制御手段１６を介して電力を供給し充電を行うように制御する（ステップ３６）。
【００３４】
このとき蓄電池１８は電源及び充電制御手段１６を介して蓄電池１８の残容量が電池３１の容量より十分あることを確認した後に行う（ステップ３５）。
【００３５】
使用者が屋外の撮影地で本情報記録装置を用いたビデオカメラを用いて映像などの情報の撮影・記録が開始されると（ステップ３７）、電源及び充電制御手段１６は蓄電池１８の残容量があるしきい値Bを下回るかどうかを監視する（ステップ４０）。電源及び充電制御手段１６は情報の記録処理の有無にかかわらず常に蓄電池１８の使用量や残容量を監視していればよい。
【００３６】
電源及び充電制御手段１６による、電源や電池類のカメラ本体への接続の有無や電池類の残容量などの具体的な監視方法は、市販のビデオカメラ等で行われている方法でよい。
【００３７】
蓄電池１８の残容量があるしきい値Bを下回ると、電源及び充電制御手段１６はシステム制御手段１２を通して、任意の外部入出力装置、例えば図１の画像表示手段１５、に蓄電池１８の残容量がわずかであることを示す警告を表示し（ステップ４１）、使用者に蓄電池１８を充電された別の蓄電池１８と交換するよう促す。従来のビデオカメラで撮影している場合には、このとき使用者は蓄電池の残容量が０となる前に交換しなければならないので、撮影中でも撮影を中断しなければならない。
【００３８】
また、蓄電池１８の残容量があとどれくらいの撮影に使えるのかという正確な目安がないため、撮影中でなくても、次の撮影に備えて早めに交換するなどの不便を強いられていた。
【００３９】
本発明によるビデオカメラならば、蓄電池１８の残容量がわずかであることを示す警告が表示されて、使用者が蓄電池１８を交換のためにビデオカメラからはずすと、複数電源制御手段３０は、電源及び充電制御手段１６より蓄電池１８がビデオカメラからはずされたことを知らされる（ステップ４２）ので、ビデオカメラの電力供給源を蓄電池１８から電池３１に切り替える（ステップ４３）。
【００４０】
この電力供給源の切り替え時には、ノートパソコンのＤＣ外部電源とバッテリーとの切り替え処理のような処理を行うことにより、撮影中に蓄電池１８をビデオカメラ本体からはずしても撮影およびその映像などの情報の記録などが中断することのないように複数電源制御手段３０は制御する。
【００４１】
上述したように、電池３１は映像などの情報の撮影・記録が例えば約１０秒続けられるだけの電力を供給する能力があるので、その間に使用者は、充電済みの別の蓄電池１８をビデオカメラに取り付けることができる。
【００４２】
使用者が蓄電池１８の交換に手間取って、電池３１の残容量がわずかになってきた場合（例えば、あるしきい値C）には、任意の外部入出力装置、例えば図１の画像表示手段１５、に早く充電済みの蓄電池１８などをビデオカメラにつけるよう使用者にうながす警告を表示してもよい（ステップ４４，４５）。
【００４３】
電池３１の残容量の監視は電源及び充電制御手段１６あるいは複数電源制御手段３０が行う。充電済みの別の蓄電池１８がビデオカメラに取り付けられると（ステップ４６）、再びその蓄電池１８からビデオカメラに電力を供給するように複数電源制御手段３０が切り替える。上述の約１０秒の間に使用者が蓄電池１８の交換ができなかった場合や、交換できてもその蓄電池１８に十分な電力がなかった場合には、ビデオカメラへの電力の供給が無くなるので、撮影などの処理は停止となる。
【００４４】
このときの処理は一般のビデオカメラのバッテリー切れ時に行う処理に準ずればよい。このように、ビデオカメラで使用者が撮影中に蓄電池１８の残容量がなくなって交換しなければならないときでも、撮影を中断することなく蓄電池１８を別の充電済み蓄電池１８に交換して、さらに撮影を続行することが可能となる。したがって、電池交換によるシャッターチャンスの取り逃がしを回避できる。
【００４５】
屋内等でビデオカメラにＤＣ電源１７が接続されたことを電源及び充電制御手段１６が検出したとき（ステップ３０）には、電池３１の残容量があるしきい値Dを下回っていれば（ステップ３８）、複数電源制御手段３０がＤＣ電源１７より電池３１へ電源及び充電制御手段１６を介して電力を供給し充電を行うように制御する（ステップ３９）。しきい値Dはしきい値Ａと等しくてもよいが、ＤＣ電源１７からの電力供給は制限がないので、ＤをＡより小さい値に設定してもよい。
【００４６】
以上の説明において、図２に蓄電池１８や電池３１はそれぞれ１つずつ図示されているが、それに限る必要はなく複数あってもよい。また、蓄電池１８や電池３１は図２では別々に表示されているが、実際の本発明装置への蓄電池１８や電池３１の装着の仕方は、本発明装置の別々の部位に取り付けるようにする必要はなく、例えば電池３１に接触するような形で蓄電池１８を本発明装置に取り付けるようになっていてもよい。蓄電池１８は使用者が本発明装置に容易に取り付け、あるいは取り外しが可能なような装着仕様にすればよい。
【００４７】
本実施例によれば、取り外し可能な蓄電池以外の電力供給手段を備えて電力供給手段を一時的に切り替えることにより、蓄電池１８を交換している間も中断することなく撮影を続けることが可能になる。
また、本実施例は、情報記録装置の例を述べたが、情報記録再生装置、情報処理装置でも同様な実施が可能である。
【図面の簡単な説明】
【００４８】
【図１】一般的な情報記録装置のシステム構成を示す図である。
【図２】本発明の１実施例を示す図で、情報記録装置のシステム構成を示す図である。
【図３】本発明の情報記録装置が複数の電源を切り替えて電力を供給する処理の大まかな流れの一例を示す図である。
【図４】本発明の情報記録装置が複数の電源を切り替えて電力を供給する処理の大まかな流れの一例を示す図３の続きの図である。
【符号の説明】
【００４９】
１・・撮影手段、  ２・・撮影光学系、  ３・・撮像素子部、  ４・・Ａ／Ｄ変換器、
５・・画像信号処理手段、  ６・・記録再生信号処理手段、  ７・・メモリ、
８・・記録再生手段、  ９・・記録媒体、  １０・・光学ヘッド、
１１・・サーボ制御手段、  １２・・システム制御手段、  １３・・表示手段、
１４・・マイクロホン、  １５・・画像表示手段、  １６・・電源及び充電制御手段、
１７・・ＤＣ電源、  １８・・蓄電池（バッテリー）、  ３０・・複数電源制御手段、
３１・・電池。
【図１】
2007329519.tif 000003
【図２】
2007329519.tif 000004
【図３】
2007329519.tif 000005
【図４】
2007329519.tif 000006
【手続補正書】
【提出日】平成18年6月28日(2006.6.28)
【手続補正１】
【補正対象書類名】明細書
【補正対象項目名】０００３
【補正方法】変更
【補正の内容】
【０００３】
ビデオカメラは屋内だけでなく屋外での使用も想定されているため、ビデオカメラの電源として、交流電源のほかに、充電可能な蓄電池（バッテリーとも言う。）を用いることが一般に可能である。直径８ｃｍのＤＶＤ−ＲＡＭディスク（片面記録容量約1.5ＧＢ）を用いる日立製作所製ＤＶＤビデオカメラでは、非特許文献１によれば、満充電された蓄電池で連続撮影できる時間は約１００分ないし１４５分である。
【手続補正２】
【補正対象書類名】図面
【補正対象項目名】図１
【補正方法】変更
【補正の内容】
【図１】
2007329519.tif 000007
【手続補正３】
【補正対象書類名】図面
【補正対象項目名】図２
【補正方法】変更
【補正の内容】
【図２】
2007329519.tif 000008
【手続補正４】
【補正対象書類名】図面
【補正対象項目名】図３
【補正方法】変更
【補正の内容】
【図３】
2007329519.tif 000009
【手続補正５】
【補正対象書類名】図面
【補正対象項目名】図４
【補正方法】変更
【補正の内容】
【図４】
2007329519.tif 000010